(57)【要約】【課題】  簡素な構造でもって良好な止水性能を得る。【解決手段】  第１扉体２１の戸先側には、後から閉鎖される第２扉体２２の戸先側部分を上下方向にわたって受けて、その上下端側の裏面を枠側止水部材２に重ね合わせる受部２１ｂが設けられ、第２扉体２２の戸先側には、上下方向にわたって受部２１ｂの表面に押し付けられて弾性変形する召合せ止水部材２２ａが設けられ、受部２１ｂには、裏面側が枠側止水部材２に重なり合う部分の表面に、戸先側部分がその戸尻側部分よりも前記枠側止水部材の表面に近い接近受面２１ｂ１１が設けられ、召合せ止水部材２２ａは、接近受面２１ｂ１１と枠側止水部材２に対し、扉幅方向へ跨って押し付けられる。【選択図】  図７
2018066230.tif 000002
【特許請求の範囲】
【請求項１】
中央側に開口を有する環状の枠体と、この枠体内の左右両側で回動して前記開口を開閉する第１扉体及び第２扉体と、閉鎖した際の第１扉体及び第２扉体に押圧されて弾性変形するように前記枠体に環状に取り付けられた枠側止水部材とを備え、
第１扉体の戸先側には、後から閉鎖される第２扉体の戸先側部分を上下方向にわたって受けて、その上下端側の裏面を前記枠側止水部材に重ね合わせる受部が設けられ、
第２扉体の戸先側には、上下方向にわたって前記受部の表面に押し付けられて弾性変形する召合せ止水部材が設けられ、
前記受部には、裏面側が前記枠側止水部材に重なり合う部分の表面に、戸先側部分がその戸尻側部分よりも前記枠側止水部材の表面に近い接近受面が設けられ、
前記召合せ止水部材は、前記接近受面と前記枠側止水部材に対し、扉幅方向へ跨って押し付けられることを特徴とする止水扉。
【請求項２】
前記接近受面が、戸先方向へ向かって前記枠側止水部材の表面に徐々に近づく傾斜面であることを特徴とする請求項１記載の止水扉。
【請求項３】
前記召合せ止水部材には、上下方向へ連続して第２の扉体の裏側へ突出する突部が設けられ、この突部が、前記接近受面と前記枠側止水部材に対し、扉幅方向へ跨って押し付けられることを特徴とする請求項１又は２記載の止水扉。
【請求項４】
前記突部は、第２扉体の戸先側から反戸先側へわたって徐々に扉裏側へ突出する斜面を有し、この斜面を前記受部の前記接近受面と前記枠側止水部材に跨らせていることを特徴とする請求項３記載の止水扉。
【請求項５】
前記受部は、上下方向へ連続するとともにその上下端側を前記枠側止水部材に重ね合わせるように形成された第１の受部と、第１の受部よりも戸先側で上下方向へ連続するとともにその上下端側を前記枠側止水部材に重ね合わせないように第１の受部よりも上下方向に短く形成された第２の受部とを具備し、第２の受部を第１の受部よりも扉裏側に位置する段状に形成され、
前記召合せ止水部材は、第１の受部及び第２の受部に跨って押し付けられることを特徴とする請求項１乃至４何れか１項記載の止水扉。
【請求項６】
前記枠側止水部材は、前記枠体に沿って設けられるとともに、継ぎ合わせ部分を、第１扉体と第２扉体の召合せ部分から離れた位置に設けていることを特徴とする請求項１乃至５何れか１項記載の止水扉。
【発明の詳細な説明】
【技術分野】
【０００１】
本発明は、水の浸入を抑制する止水扉に関するものである。
【背景技術】
【０００２】
従来、止水扉は、ビルや、家屋、倉庫等の建築物を含む構造物に形成された開口を、豪雨等による水の氾濫時に閉鎖して、該構造物内への水の浸入を防ぐものである。止水扉には、先に閉鎖される子扉と、後から閉鎖されてその戸先側を前記子扉の戸先側に重ね合わせる親扉とを具備した両開きタイプのものがある。このような両開きタイプの止水扉では、特に、子扉の戸先側と親扉の戸先側とが重なり合う召合せ部について止水性能を損ない易い。
そこで、例えば、特許文献１に記載の発明では、構造物の開口に設けられる枠体と、この枠体に回動可能に支持されて前記開口を開閉する一対の扉体（親扉及び子扉）と、閉鎖状態の前記扉体と前記枠体の間に挟まれる枠状止水部材と、一方の扉体（子扉）の戸先側に設けられて全閉時に前記前記枠状止水部材に重ねられる当たり部（受部）と、全閉時に前記枠状止水部材と前記当たり部との双方に重ねられる召合せ止水部材と、前記枠状止水部材に取り付けられ全閉時に前記枠状止水部材と前記当たり部と前記召合せ止水部材との間に介在する補助止水部材とを備え、前記補助止水部材を、前記枠状止水部材、前記当たり部及び前記召合せ止水部材に接触させることで良好な止水性能を得るようにしている。
【先行技術文献】
【特許文献】
【０００３】
【特許文献１】特開２０１５−１７５０８８号公報
【発明の概要】
【発明が解決しようとする課題】
【０００４】
しかしながら、上記従来技術では、左右の扉体間の召合せ部と、枠体との間において、召合せ止水部材及び補助止水部材等、複数種類の止水部材を用いる必要がある。
【課題を解決するための手段】
【０００５】
このような課題に鑑みて、本発明は、以下の構成を具備するものである。
中央側に開口を有する環状の枠体と、この枠体内の左右両側で回動して前記開口を開閉する第１扉体及び第２扉体と、閉鎖した際の第１扉体及び第２扉体に押圧されて弾性変形するように前記枠体に環状に取り付けられた枠側止水部材とを備え、第１扉体の戸先側には、後から閉鎖される第２扉体の戸先側部分を上下方向にわたって受けて、その上下端側の裏面を前記枠側止水部材に重ね合わせる受部が設けられ、第２扉体の戸先側には、上下方向にわたって前記受部の表面に押し付けられて弾性変形する召合せ止水部材が設けられ、前記受部には、裏面側が前記枠側止水部材に重なり合う部分の表面に、戸先側部分がその戸尻側部分よりも前記枠側止水部材の表面に近い接近受面が設けられ、前記召合せ止水部材は、前記接近受面と前記枠側止水部材に対し、扉幅方向へ跨って押し付けられることを特徴とする止水扉。
【発明の効果】
【０００６】
本発明は、以上説明したように構成されているので、より簡素な構造でもって良好な止水性能を得ることができる。
【図面の簡単な説明】
【０００７】
【図１】本発明に係る止水扉の一例を示す正面図である。
【図２】本発明に係る止水扉の一例を示す背面図である。
【図３】図１におけるIII-III線に沿う断面図である。
【図４】図１におけるIV-IV線に沿う断面図である。
【図５】図４における右端側部分を示す拡大断面図であり、モルタルは省いている。
【図６】枠体の正面図であり、枠側止水部材の継ぎ合わせ位置を示している。
【図７】（ａ）は、閉鎖位置にある第１扉体と枠側止水部材の関係を示す正面図であり、（ｂ）は（ａ）におけるｂ−ｂ線に沿う断面図である。
【図８】図７におけるXIII−XIII線に沿う断面位置において、（ａ）は先に閉鎖した第１扉体に第２扉体が接近している状態、（ｂ）は第２扉体が閉鎖した状態を示す。
【図９】召合せ止水部材の拡大横断面図である。
【図１０】図７におけるXI−XI線に沿う断面位置において、枠側止水部材と第１扉体と第２扉体の関係を示す。
【発明を実施するための形態】
【０００８】
本実施の形態では、以下の特徴を開示している。
第１の特徴は、中央側に開口を有する環状の枠体と、この枠体内の左右両側で回動して前記開口を開閉する第１扉体及び第２扉体と、閉鎖した際の第１扉体及び第２扉体に押圧されて弾性変形するように前記枠体に環状に取り付けられた枠側止水部材とを備え、第１扉体の戸先側には、後から閉鎖される第２扉体の戸先側部分を上下方向にわたって受けて、その上下端側の裏面を前記枠側止水部材に重ね合わせる受部が設けられ、第２扉体の戸先側には、上下方向にわたって前記受部の表面に押し付けられて弾性変形する召合せ止水部材が設けられ、前記受部には、裏面側が前記枠側止水部材に重なり合う部分の表面に、戸先側部分がその戸尻側部分よりも前記枠側止水部材の表面に近い接近受面が設けられ、前記召合せ止水部材は、前記接近受面と前記枠側止水部材に対し、扉幅方向へ跨って押し付けられる（図７参照）。
この構成によれば、召合せ止水部材が受部の接近受面及び枠側止水部材に跨って圧接されるので、良好な止水性能を得ることができる。
【０００９】
第２の特徴として、前記接近受面が、戸先方向へ向かって前記枠側止水部材の表面に徐々に近づく傾斜面である（図１０参照）。
【００１０】
第３の特徴として、より良好な止水性能を得るために、前記召合せ止水部材には、上下方向へ連続して第２の扉体の裏側へ突出する突部が設けられ、この突部が、前記接近受面と前記枠側止水部材に対し、扉幅方向へ跨って押し付けられることを特徴とする（図１０参照）。
【００１１】
第４の特徴として、より良好な止水性能を得るために、前記突部は、第２扉体の戸先側から反戸先側へわたって徐々に扉裏側へ突出する斜面を有し、この斜面を前記受部の前記接近受面と前記枠側止水部材に跨らせている（図１０参照）。
【００１２】
第５の特徴として、より止水性能を向上するために、前記受部は、上下方向へ連続するとともにその上下端側を前記枠側止水部材に重ね合わせるように形成された第１の受部と、第１の受部よりも戸先側で上下方向へ連続するとともにその上下端側を前記枠側止水部材に重ね合わせないように第１の受部よりも上下方向に短く形成された第２の受部とを具備し、第２の受部を第１の受部よりも扉裏側に位置する段状に形成され、前記召合せ止水部材は、第１の受部及び第２の受部に跨って押し付けられる（図８参照）。
【００１３】
第６の特徴として、前記枠側止水部材は、前記枠体に沿って設けられるとともに、継ぎ合わせ部分を、第１扉体と第２扉体の召合せ部分から離れた位置に設けている（図６参照）。
【００１４】
なお、後述する実施態様では、以下の構成要件のみを必須とした発明も開示している。
すなわち、この発明の一つは、中央側に開口を有する環状の枠体と、この枠体内の左右両側で回動して前記開口を開閉する第１扉体及び第２扉体と、閉鎖した際の第１扉体及び第２扉体に押圧されて弾性変形するように前記枠体に環状に取り付けられた枠側止水部材とを備え、前記枠側止水部材は、前記枠体に沿って設けられるとともに、継ぎ合わせ部分を、第１扉体と第２扉体の召合せ部分から離れた位置に設けている（図６参照）。
この発明によれば、第１扉体及び第２扉体を閉鎖して枠側止水部材に押圧した際に、枠側止水部材の継ぎ合わせ部分が、第１扉体と第２扉体の境目に対応する位置でずれるようなことを防ぎ、止水性能を向上することができる。
【００１５】
＜具体的実施態様＞
次に、上記特徴を有する具体的な実施態様について、図面に基づいて詳細に説明する。
図１〜図１０は、本発明に係る止水扉Ａを示している。この止水扉Ａは、ビルや、家屋、倉庫等の建築物、トンネルや、地下道を含む構造物Ｓの開口部ａに設置されて、該開口部ａへの水の通過を阻む止水構造Ｂ（図３及び図４参照）を構成する。
【００１６】
なお、以下の説明において、上流側とは、開口部ａを水が通過するものと想定した場合において、水が流れて来る方向側を意味する。また、下流側とは、水が流れて行く方向側を意味する。なお、図示例では、止水扉Ａよりも上流側を屋外側とし、同止水扉Ａよりも下流側を屋内側としている。
また、戸先側とは、第１扉体２１又は第２扉体２２の扉幅方向における先端側（自由端側）を意味する。
【００１７】
止水扉Ａは、中央側に開口を有する環状の枠体１０と、この枠体１０内の左右両側で回動して前記開口を開閉する開閉体２０とを備える（図１参照）。
【００１８】
枠体１０は、上下の横枠部材１０ａ，１０ａと左右の縦枠部材１０ｂ，１０ｂにより中央部を開口した一体の矩形枠状に構成される（図１及び図６参照）。
横枠部材１０ａと縦枠部材１０ｂの各々は、鋼板等の金属材料を曲げ加工してなり、その内縁側に、下流側（図５における上側）へ凹んで枠内側へ突出する略凹状の受片１１を有する。
各受片１１は、開閉体２０の外縁側部分を、その下流側から受けている。
【００１９】
また、各受片１１の突端側には、下流側へ突出するように四方枠１２が接続固定されている（図３〜図５参照）。
四方枠１２は、枠体１０の下流側にて、枠内の通路を上下左右から囲む板金製の矩形状枠体である。この四方枠１２は、枠体１０の受片１１に嵌め合せられ、周知の止着手段（例えば溶接やネジ止め等）によって止着されている。
【００２０】
四方枠１２の前端側は、受片１１の受け面よりも前方へ突出している。したがって、四方枠１２の前端側、及び受片１１は、前方を開口した断面凹状に構成される（図５参照）。この凹状部分は、枠体１０の内縁に沿って無端矩形環状に連続しており、その内部には、先端部を上流側へ向けるようにして、気密部材１と枠側止水部材２が嵌め合せられている。
なお、図５中、符号１４は、四方枠１２の外周部を補強して枠体１０に接続する補強片であり、枠体１０の周方向に間隔を置いて複数止着されている。
【００２１】
気密部材１は、無端矩形環状の受片１１の略全周にわたり連続して設けられ、開閉体２０が枠体１０内の開口を閉塞した閉塞位置にある状態で、開閉体２０の背面（下流側面）と受片１１の間に挟まれて弾性変形する。この気密部材１は、主に気体の通過を阻むように作用するが、水や音の通過を抑制する作用もある。
この気密部材１は、例えば、エラストマー樹脂やその他の弾性樹脂材料、合成ゴム等から形成され、図示例によれば、断面中空状に形成される。
【００２２】
枠側止水部材２は、気密部材１よりも枠内側において、無端矩形環状の受片１１の全周にわたり連続して設けられる。この枠側止水部材２は、開閉体２０が開口部ａを閉鎖した閉鎖位置になった後、グレモンハンドル４，５，７の操作により更に下流側へ若干移動して止水位置になった際に、開閉体２０の下流側面と受片１１の間に挟まれて弾性変形する。
この枠側止水部材２は、主に水の浸入を阻む作用を奏するが、気体や音の浸入を阻む作用も兼ね備えている。
枠側止水部材２は、例えば、エラストマー樹脂やその他の弾性樹脂材料、合成ゴム等から形成され、図示例によれば、先端側を枠外方向へ向けた断面中実状に形成され、気密部材１よりも柔軟性を有し且つ強い弾発力を有する。
なお、枠側止水部材２の他例としては、独立気泡を有する軟質樹脂材料や、スポンジ状の軟質樹脂材料、中空部を有する軟質樹脂材料等から形成した態様や、図示例以外の断面形状とした態様等とすることも可能である。
【００２３】
この枠側止水部材２は、枠体１０の受片１１に沿って環状に設けられるが、図６に示すように、部分的に継ぎ合わせ部分２ａを有する。
継ぎ合わせ部分２ａは、連続する一体長尺の枠側止水部材２の両端部を、該枠側止水部材２を環状に曲げた状態で突き合わせた部分である。
この継ぎ合わせ部分２ａは、第１扉体２１の戸先側と、第２扉体２２の戸先側とが重なり合う召合せ部分（図１０参照）に対し、枠側止水部材２の延設方向に離れた位置に設けられる。
この継ぎ合わせ部分２ａは、図６に示す好ましい一例によれば、上側の横枠部材１０ａ上において、その中央部から扉幅方向へ離れた位置に設けられる。
なお、継ぎ合わせ部分２ａの他例としては、縦枠部材１０ｂ上に設けた態様とすることも可能である。この場合、継ぎ合わせ部分２ａは、上下方向の中央よりも上側に位置するのが好ましい。
【００２４】
さらに他例としては、枠側止水部材２の長手方向の複数個所に継ぎ合わせ部分２ａを有する態様とすることも可能である。
なお、継ぎ合わせ部分２ａの位置は、縦枠部材１０ｂの中央よりも下側や、下側の横枠部材１０ａ等を避けるのが好ましい。
【００２５】
上記構成の枠体１０は、図５に示すように、受片１１の裏側に取付片１３、支持部材３３及び基材３２等を介在して、構造物Ｓの開口部ａに頑強に接続されている。なお、図中、符号Ｗは溶接箇所である。また、符号３５は、枠体１０と開口部ａの間に水が浸入するのを阻む止水パッキンであり、図示例によれば複層状に設けられている。
【００２６】
また、開閉体２０は、横幅方向の一方側（図示例によれば左側）に位置する第１扉体２１と、その他方側に位置する第２扉体２２とを具備した両開きタイプの扉体である。
第１扉体２１は、先に閉鎖される方の扉体であって子扉と呼称される場合もある。第２扉体２２は、第１扉体２１よりも後に閉鎖される方の扉体であって親扉と呼称される場合もある。
これら第１扉体２１と第２扉体２２の幅寸法の大小関係は、図示例によれば略同一としているが、その一方が他方よりも大きくてもよい。
【００２７】
第１扉体２１は、略矩形板状に形成され、左右辺部のうち、その一方（図１によれば左側）の辺部を、枠体１０の一方の縦枠部材１０ｂに対し、複数の二軸蝶番３を介して支持している。
この第１扉体２１は、上側の横枠部材１０ａに設けられる周知の閉鎖順序規制装置１５により、第２扉体２２が先に閉鎖動作した場合でも該第２扉体２２よりも先に全閉するように規制される。
【００２８】
この第１扉体２１の戸先側には、後から閉鎖される第２扉体２２の戸先側部分（詳細には召合せ止水部材２２ａ）を上下方向にわたって下流側から受けて、その上下端側の裏面を枠側止水部材２に重ね合わせる受部２１ｂが形成されている（図４参照）。
【００２９】
受部２１ｂは、上下方向へ連続するとともにその上下端側を枠側止水部材２に重ね合わせるように形成された第１の受部２１ｂ１と、第１の受部２１ｂ１よりも戸先側で上下方向へ連続するとともにその上下端側を枠側止水部材２に重ね合わせないように第１の受部２１ｂ１よりも上下方向に短く形成した第２の受部２１ｂ２とを具備し、第２の受部２１ｂ２を第１の受部２１ｂ１よりも扉裏側（下流側）に位置する段状に形成されている（図７及び図８参照）。
【００３０】
第１の受部２１ｂ１は、図８に示すように、第１扉体２１の裏板部分を、第２扉体２２側へ突出させた突片状に形成される。
【００３１】
第２の受部２１ｂ２は、第１の受部２１ｂ１の裏側に重ね合わせられ、その戸先側の突端を、第１の受部２１ｂ１の突端よりも第２扉体２２側へ突出させている（図８参照）。
この第２の受部２１ｂ２は、例えば、金属製板状部材を曲げ加工することで形成され、第１の受部２１ｂ１の裏側に溶接等によって止着されている。
【００３２】
また、第１の受部２１ｂ１の上端側と下端側の表面には、戸先側部分がその戸尻側部分よりも前記枠側止水部材の表面に近い接近受面２１ｂ１１が設けられている（図７参照）。
詳細に説明すれば、第１の受部２１ｂ１は、上下方向にわたって略同厚帯状の平坦面部２１ｂ１２と、この平坦面部２１ｂ１２の上限端側の各々に接続された接近受面２１ｂ１１とから一体に構成される。
接近受面２１ｂ１１は、枠側止水部材２に重なり合うように位置し、その表面における戸先寄り（図７（ａ）によれば右寄り）の部分が、戸先方向へ向かって枠側止水部材２の表面に徐々に近づくように、厚み方向へ傾斜している。すなわち、図１０に示すように、受部２１ｂの厚みが、枠側止水部材２表面へ向かって連続的に薄くなっている。
また、平坦面部２１ｂ１２と傾斜面状の接近受面２１ｂ１１は、滑らかな曲面により接続されている。この曲面は、後述する召合せ止水部材２２ａに対する接触面圧を均等にして、水密性を向上するように作用する。
図７（ａ）中の破線は、傾斜方向に対し直交する複数の線であり、接近受面２１ｂ１１の表面が傾斜していることを等高線状に表現している。
【００３３】
なお、図示例によれば、接近受面２１ｂ１１は、平坦面部２１ｂ１２の上端部と下端部に、それぞれ、接近受面２１ｂ１１を有する別体の楔状部材を溶接することで構成されるが、他例としては、切削加工等によって平坦面部２１ｂ１２と一体に形成することも可能である。
【００３４】
また、第２扉体２２は、略矩形板状に形成され、左右辺部のうち、その他方（図１によれば右側）の辺部を、枠体１０の他方の縦枠部材１０ｂに対し、複数の二軸蝶番３を介して支持している。
この第２扉体２２は、周知の閉鎖順序規制装置１５（図２参照）により、第１扉体２１よりも後に全閉されるように閉鎖動作が規制されている。
この第２扉体２２の戸先側には、第１扉体２１の戸先側の受部２１ｂの表面に重なり合うようにして押し付けられ弾性変形する召合せ止水部材２２ａが嵌合されている（図４参照）。
【００３５】
詳細に説明すれば、第２扉体２２は、その戸先側における裏側（下流側）寄りに、召合せ止水部材２２ａを嵌め合わすための凹状嵌合部２２ｂを有する（図８参照）。
凹状嵌合部２２ｂは、扉裏側に位置する開口２２ｂ１の幅を内部の幅よりも狭く形成しており、この開口２２ｂ１から召合せ止水部材２２ａの一部分を、扉裏側へ突出させる。
【００３６】
召合せ止水部材２２ａは、例えば、エラストマー樹脂やその他の弾性樹脂材料、合成ゴム等から形成され、第２扉体２２の上下方向の略全長にわたって設けられている。
この召合せ止水部材２２ａは、図示例によれば断面中実状に形成されるが、他例としては、独立気泡を有する軟質樹脂材料や、スポンジ状の軟質樹脂材料、中空部を有する軟質樹脂材料等から形成した態様等することも可能である。
【００３７】
そして、この召合せ止水部材２２ａは、上下方向へ連続して扉裏側（下流側）へ突出する突部２２ａ１を有する。
突部２２ａ１は、反戸先側（図９によれば右側）へ向かいながら扉裏側へ突出する斜面２２ａ１１を有する。この斜面２２ａ１１は、第１扉体２１の第１の受部２１ｂ１に形成される傾斜面状の接近受面２１ｂ１１よりも、その傾斜角度が大きく設定されている。
【００３８】
突部２２ａ１の斜面２２ａ１１は、第１扉体２１と第２扉体２２が戸先側を重ね合わせる際、第１扉体２１の段状の第１及び第２の受部２１ｂ１，２１ｂ２に跨って押し付けられ、弾性変形する（図７及び図８参照）。
さらに、突部２２ａ１の斜面２２ａ１１は、その上端側と下端側において、第１扉体２１及び第２扉体２２が止水位置になる際に、第１扉体２１の接近受面２１ｂ１１と、枠側止水部材２及び気密部材１に対し、扉幅方向へ跨って押し付けられ、弾性変形する（図７及び図１０参照）。
【００３９】
なお、突部２２ａ１の接近受面２２ａ１１は、図７に図示しない上端側においても、前記同様にして、枠側止水部材２及び気密部材１に圧接される。
【００４０】
また、二軸蝶番３は、二つの回転軸とこれら回転軸に枢支されたリンク部材等を具備した周知の軸支装置である。この二軸蝶番３は、第１扉体２１と第２扉体２２の各々を、縦枠部材１０ｂ寄りの一方の回転軸を支点にして回動させて開閉動作する。
さらに、二軸蝶番３は、第１扉体２１と第２扉体２２が全閉した閉鎖位置において、これら第１扉体２１及び第２扉体２２を、二つの回転軸を支点にして、下流側へ略平行に移動させる。この平行移動により、第１扉体２１及び第２扉体２２は、枠側止水部材２を弾性的に押し潰して止水位置となる。
【００４１】
なお、図１及び図３において、符号６は、第２扉体２２の開閉操作を行うための開閉用ノブである。
また、符号７は、閉鎖位置にある第２扉体２２における戸尻側を更に押し込んで枠側止水部材２に圧接するために回転操作されるグレモンハンドル、符号８は、閉鎖位置にある第２扉体２２における戸先側を更に押し込んで該第２扉体２２の召合せ止水部材２２ａを第１扉体２１の受部２１ｂに圧接するために回転操作されるグレモンハンドルである。
また、符号４，５は、それぞれ、閉鎖位置にある第１扉体２１における戸尻側と戸先寄り下端側を、更に押し込んで枠側止水部材２に圧接するために回転操作されるグレモンハンドルである。
また、図２において、符号１６は、第１扉体２１及び第２扉体２２の閉鎖速度を調整するドアクローザである。
【００４２】
次に、上記構成の止水扉Ａについて、その特徴的な作用効果を詳細に説明する。
先ず、第１扉体２１を回動させて閉鎖位置にした後、この第１扉体２１をグレモンハンドル４，５の操作により下流側へ押し込めば、第１扉体２１の裏面側においてその外周側の部分が、枠体１０側の気密部材１及び枠側止水部材２に押し付けられる。
【００４３】
次に、第２扉体２２を回動させて閉鎖位置にした後、この第２扉体２２をグレモンハンドル７，８の操作により下流側へ押し込めば、第２扉体２２の裏面側においてその外周側の部分が、枠体１０側の気密部材１及び枠側止水部材２に押し付けられる。
さらに、第２扉体２２の戸先側においては、召合せ止水部材２２ａが、第１扉体２１の受部２１ｂと、枠体１０側の気密部材１及び枠側止水部材２に対し、これらを跨るように押し付けられる（図７（ａ）参照）。
【００４４】
この際、召合せ止水部材２２ａは、図８（ａ）（ｂ）に示すように、第１及び第２の受部２１ｂ１，２１ｂ２の段部に対し、これらを跨るように押し付けられ弾性変形する。
さらに、召合せ止水部材２２ａは、図１０に示すように、下端側と上端側において、第１扉体２１における受部２１ｂの接近受面２１ｂ１１と、枠側止水部材２とに跨るように押し付けられ弾性変形する。
【００４５】
よって、第１扉体２１と第２扉体２２の間や、第１扉体２１及び第２扉体２２と枠体１０の間等、これらの間に形成される略全ての隙間を、気密部材１、枠側止水部材２及び召合せ止水部材２２ａ等の弾性体を介して水密に塞ぐことができ、良好な止水性能を得ることができる。
【００４６】
なお、上記実施態様では、特に好ましい一例として、受部２１ｂを第１の受部２１ｂ１と第２の受部２１ｂ２からなる段状に形成したが、他例としては、これらを段のない平板状に形成することも可能である。
【００４７】
また、上記実施態様では、特に好ましい一例として、接近受面２１ｂ１１を連続する傾斜面状に形成したが、この接近受面２１ｂ１１の他例としては、戸先方向へ向かって枠側止水部材２の表面に階段状に近づく段付き面とすることも可能である。
【００４８】
また、上記実施態様によれば、止水扉Ａよりも上流側を屋外側とし、同止水扉Ａよりも下流側を屋内側としているが、構造物Ｓの設置状況等によっては上流側が屋内側、下流側が屋外側とすることも可能である。このような場合には、止水扉Ａについて厚み方向の構成を図示と逆にすればよい。
【００４９】
また、本発明は上述した実施態様に限定されず、本発明の要旨を変更しない範囲で適宜変更可能である。
【符号の説明】
【００５０】
１：気密部材
２：枠側止水部材
１０：枠体
２０：開閉体
２１：第１扉体
２１ｂ：受部
２１ｂ１：第１の受部
２１ｂ２：第２の受部
２１ｂ１１：接近受面
２１ｂ１２：平坦面部
２２：第２扉体
２２ａ：召合せ止水部材
２２ａ１：突部
２２ａ１１：斜面
【図１】
2018066230.tif 000003
【図２】
2018066230.tif 000004
【図３】
2018066230.tif 000005
【図４】
2018066230.tif 000006
【図５】
2018066230.tif 000007
【図６】
2018066230.tif 000008
【図７】
2018066230.tif 000009
【図８】
2018066230.tif 000010
【図９】
2018066230.tif 000011
【図１０】
2018066230.tif 000012